(57)【要約】  ボード板（１）と、ボード板（１）に連結された少なくとも１つの後輪（２）と、ボード板（１）に連結された少なくとも１つの前輪（３）とを有するキックスケーターであって、キックスケーターは走行方向に移動可能であり、更にキックスケーターはボード板（１）に連結された又は添着可能な要素（５）を有しており、この要素（５）は着座部材としての第１の位置（６）から、ボード板（１）上に立つ人のための把持ロッドとしての第２の位置（７）へ移行可能であり、キックスケーターは使用時に要素（５）の第１の位置（６）と要素（５）の第２の位置（７）とで同じ走行方向（２０）に移動可能である。
2018532472.tif 000002
【特許請求の範囲】
【請求項１】
キックスケーターであって、
ボード板（１）と、該ボード板（１）にヒンジ連結された少なくとも１つの後輪（２）と、前記ボード板（１）にヒンジ連結された少なくとも１つの前輪（３）とを有し、走行方向に移動可能であるキックスケーターにおいて、
該キックスケーターは、更にジョイント（１５）を介して及び／又は変形可能な連結部材を介して前記ボード板（１）にヒンジ連結され又は連結される要素（５）を有し、該要素（５）は着座部材としての第１の位置（６）から、前記ボード板（１）上に立つ人のための把持ロッドとしての第２の位置（７）へ移行可能であり、前記キックスケーターは使用時に前記要素（５）の第１の位置（６）と前記要素（５）の第２の位置（７）とで同じ走行方向（２０）に移動可能であることを特徴とするキックスケーター。
【請求項２】
前記要素（５）は前記第１の位置（６）又は前記第２の位置（７）から保管位置に移行可能であることを特徴とする、請求項１に記載のキックスケーター。
【請求項３】
前記要素（５）は前記第１の位置（６）及び／又は前記第２の位置（７）において異なる高さ位置でヒンジ連結され又は連結されていることを特徴とする、請求項１又は２に記載のキックスケーター。
【請求項４】
前記要素は、前記第１の位置（６）において実質的に水平に延び、及び／又は前記第２の位置（７）において実質的に垂直に延びていることを特徴とする、請求項１〜３の何れか一項に記載のキックスケーター。
【請求項５】
前記キックスケーターは前記ボード板（１）と接続された操舵装置（４）を有し、該操舵装置（４）にはそれぞれ少なくとも１つの前輪（３）及び／又は後輪（２）がヒンジ連結していることを特徴とする、請求項１〜４の何れか一項に記載のキックスケーター。
【請求項６】
前記操舵装置（４）は、前記要素（５）を包含し、前記操舵装置（４）を介して前記ボード板（１）にヒンジ連結又は連結されていることを特徴とする、請求項５に記載のキックスケーター。
【請求項７】
連結された前記要素（５）は要素回転軸線（８）を中心に回転可能に支持されていることを特徴とする、請求項１〜６の何れか一項に記載のキックスケーター。
【請求項８】
前記要素回転軸線（８）は前記第１の位置（６）と前記第２の位置（７）との間の角２等分線であることを特徴とする、請求項７に記載のキックスケーター。
【請求項９】
把持部材（９）が前記要素（５）及び／又は前記ボード板（１）に取り付け可能であることを特徴とする、請求項１〜８の何れか一項に記載のキックスケーター。
【請求項１０】
操舵装置（４）は重量移動操舵であることを特徴とする、請求項１〜９の何れか一項に記載のキックスケーター。
【請求項１１】
操舵装置（４）は操舵軸の回りで回転可能な把持ロッドを有し、
該把持ロッドに前記前輪が設けられ、
前記把持ロッドは前記ボード板に対して回転可能に支持されていることを特徴とする、請求項１〜１０の何れか一項に記載のキックスケーター。
【発明の詳細な説明】
【技術分野】
【０００１】
本明細書で開示される発明は、ボード板と、ボード板にヒンジ連結された少なくとも１つの後輪と、ボード板にヒンジ連結された少なくとも１つの前輪とを有するキックスケーターに関する。
【背景技術】
【０００２】
先行技術により、キックスケーターの利用者はボード板上に立ち及び／又は座ることが考えられる。
【０００３】
特許文献１は、ボード板を有するキックスケーターを示している。後輪及び把持ロッドを有する操舵装置がボード板に接続されている。操舵装置は操舵装置に接続されている前輪の位置を可能にする。ボード板上の利用者は立った姿勢を取り、要素として作用する把持ロッドを介してキックスケーターを操作するようになっている。更に人がボード板上に座り、把持ロッドを介してキックスケーターを操作することが考えられる。特許文献１は、把持ロッドを座席として使用することに関する指示を開示していない。
【０００４】
特許文献２は、ボード板と、ボード板に連結された車輪と、ボード板に接続されたグリップ付きフレームとを有するキックスケーターを開示しており、フレームはグリップと併せて把持ロッドとして使用できる。更にフレームには座面が取り付けられている。特許文献２には、フレームをグリップと併せて座面に転換することについての指示は見出されない。座面は、フレームをグリップと併せて使用することとは関係なく座面そのものとして使用できる。
【０００５】
特許文献３は、把持ロッドと座席が２つの独立の要素として組み付けられるスケートボードを記載している。座席は座席として使用する位置から保管位置に移行可能ではない。
【０００６】
特許文献４及び特許文献３を先行技術として挙げている特許文献５は、特許文献２とは異なり固定要素によって、固定要素が把持ロッドを包囲する方式で座席を固定することを開示している。特許文献５は、要素として用いられる把持ロッドを座席に転換することは開示していない。
【０００７】
特許文献６は、座面に連結された要素を有するキックスケーターを開示しており、この要素は着座部材としての第１の位置から把持部材としての第２の位置に移行可能である。しかしながら特許文献６で開示されたキックスケーターは、要素を着座部材として使用する際は走行方向が要素を把持ロッドとして使用する際の走行方向に対して逆転する。
【０００８】
特許文献７は、フラップ状に開放可能な着座部材を有するキックスケーターを開示しており、開放された着座部材は把持ロッドとしてではなく、ライニング要素として働いて把持ロッドに対して認識可能な技術的作用を持たない。
【０００９】
特許文献８〜１６は、着座部材を把持ロッドとして使用することに言及していない。
【００１０】
先行技術によるキックスケーターは、総じてキックスケーターが主として人の１つの姿勢に対してのみ構想されているという短所を有している。先行技術によるキックスケーターを別の姿勢で利用するために転換することは制限されており、短所を伴うことによってのみ可能である。
【００１１】
先行技術によるキックスケーターでは座席のように使用されない部材は邪魔である。例えば座席は−座席が取り外されない限り−ボード板上に立つ人にとって邪魔になる。
【００１２】
人の立っている姿勢に適したキックスケーターを人の座っている姿勢に適したキックスケーターに転換することが可能である場合、これは多大な労力によってのみ行われる。この目的ために、非使用時はキックスケーターに収納できない部材を取り外さなければならない。
【先行技術文献】
【特許文献】
【００１３】
【特許文献１】国際公開第０００３７７３号
【特許文献２】米国特許出願公開第４９４１６７０号明細書
【特許文献３】仏国特許出願公開第２４６７００３号明細書
【特許文献４】米国特許出願公開第４９４１６７０号明細書
【特許文献５】欧州特許出願公開第２４７６６０７号明細書
【特許文献６】米国特許出願公開第２０１５０９７７３４６号明細書
【特許文献７】米国特許出願公開第６２９６５６８号明細書
【特許文献８】仏国特許出願公開第３０１８２６０号明細書
【特許文献９】独国特許出願公開第２９６１２２７６号明細書
【特許文献１０】米国特許出願公開第２０１５０６８８２８号明細書
【特許文献１１】仏国特許出願公開第２８１８０８号明細書
【特許文献１２】中国特許出願公開第１０４２６０８０８号明細書
【特許文献１３】国際公開第２０１１０９８８８７号明細書
【特許文献１４】独国特許出願公開第２０２１４２０１号明細書
【特許文献１５】中国特許出願公開第２０２２０１１０７号明細書
【特許文献１６】米国特許出願公開第２０１０１４８４６０号明細書
【発明の概要】
【発明が解決しようとする課題】
【００１４】
本明細書で開示される発明の課題は、座っている姿勢又は立っている姿勢でキックスケーターを利用するために必要とされる要素を最小限に減らし、残っている要素を両姿勢のために利用可能にし、又は必要とされない要素を収納することである。
【課題を解決するための手段】
【００１５】
上記の課題は本発明により、キックスケーターが更にジョイントを介して及び／又は弾性的及び場合により塑性的に変形可能な連結部材を介してボード板にヒンジ連結された又は連結された要素を有しており、この要素は着座部材としての第１の位置からボード板上に立つ人のための把持ロッドとしての第２の位置に移行可能であり、キックスケーターは使用時に要素の第１の位置と要素の第２の位置とで同じ走行方向に移動可能である。
【００１６】
人は、この要素を使用する前に、着座部材として（第１の位置）又は把持ロッドとして（第２の位置）それぞれの位置を得ることができる。
【００１７】
変形可能な連結部材は、例えば弾性的に変形可能な連結部材としてばね又はゴム部材の形式で形成されてよい。ジョイント及び／又は変形可能な連結部材、特に弾性的に変形可能な連結部材は、第１の位置及び／又は第２の位置及び／又は第１の位置と第２の位置との間のその他の位置で係止可能であることができる。当業者はこのために係止装置、例えば先行技術によるロック装置、スナップ装置、ラッチ装置又はクランプ装置を使用する。ジョイントは例えばラッチジョイントとして形成されてよい。
【００１８】
要素の異なる位置で走行方向が同じであることにより、特に操舵付きキックスケーターにおいて、類似の走行特性及び容易な操作性が実現される。走行特性は異なる位置で人とキックスケーターの共通重心の位置が変わることによりごく僅か変化する。
【００１９】
要素は、第１の位置及び／又は第２の位置において異なる高さ位置でヒンジ連結され又は連結可能であってよい。
【００２０】
要素は更に有利には第１の位置又は第２の位置から保管位置に移行され得る。
【００２１】
保管位置において要素は人が、ボード板上に座り又は立つことを妨げる。
【００２２】
本発明の枠内で要素は直接的に、又は間接的に、即ち本明細書に記載された又は記載されない部材を介して、機械的接続、例えばジョイント又はプラグ接続によりボード板と連結され得る。
【００２３】
ボード板と要素を接続する機械的プラグ接続は、第１の位置又は第２の位置でジョイント若しくはプラグシステムによって作られた要素とボード板との間の機械的接続が解除され得て、要素は自由な又は機械的接続により指定された運動によって一方の位置から他方の位置へ移行可能であり、要素は他方の位置で最終的にボード板と機械的に接続されているように構成できる。
【００２４】
従って機械的接続は、要素の第１の位置と第２の位置のみ指定できる。本明細書で開示される発明は、要素の一方の位置から他方の位置への運動が指定されなければならないことに制限されていない。
【００２５】
要素とボード板との連結を保証できる、ジョイントはロック装置を有することができるので、要素は第１の位置又は第２の位置で係止されている。
【００２６】
要素は要素縦軸線に沿って延びる縦長要素として構成されてよい。当業者によって選択される要素の長さは、第１の位置において人が着座部材として座ることができるほど十分長くなければならない。把持ロッドとして使用する第２の垂直位置において、要素は、ボード板上に立つ人が要素を把持ロッドとして快適に掴める高さに達するように十分長い。
【００２７】
要素は収納室を有することができる。
【００２８】
要素は第１の位置で実質的に水平に延び、及び／又は第２の位置で実質的に垂直に延びることができる。
【００２９】
本発明によるキックスケーターは、ボード板と接続された操舵装置を有することができ、操舵装置にはそれぞれ少なくとも１つの前輪及び／又は後輪が連結している。操舵装置の操作はボード板を介して行うことができる。
【００３０】
操舵装置は要素を包含することができる。このために要素は操舵装置を介してボード板に連結又は添着されていて、要素は操舵装置に対して作用する。
【００３１】
把持ロッドとしての位置において、要素は実質的に垂直位置を有する。ボード板上に立つ人はその手で把持ロッドを掴み、把持ロッドを用い、及びまたボード板を介して操舵を操作できる。人はその足でキックスケーターを加速させることができる。
【００３２】
これに対して着座部材としての位置において要素は実質的に水平位置を取る。人は着座部材の上に座り、その足でキックスケーターを駆動できる。人は操舵機能がロックされていない限り、着座部材を介して操舵装置を操作することも許されている。
【００３３】
要素を座面としての第１の位置から把持ロッドとしての第２の位置に移行することは、実質的に−他の運動を無視するならば−要素が水平位置から垂直位置に回転することである。この理由から、連結された要素が要素回転軸線を中心に回転可能に支持されていることが有意義である。
【００３４】
要素回転軸線は要素縦軸線に対して直角であってよい。要素はキックスケーターの縦方向で一方の位置から第２の位置に回転する。
【００３５】
要素回転軸線は第１の位置と第２の位置との間の角２等分線であってよい。要素はキックスケーターの縦方向から回転させることにより一方の位置から第２の位置に回転する。
【００３６】
要素はボード板を介して操舵装置と接続されてよい。
【００３７】
利用者に掴むための別の可能性を提供する把持部材を、要素及び／又はボード板に取り付けることができる。好ましくは、操舵装置は、第１の位置では別の把持部材を、及び第２の位置では要素を取り付けるための受容部を有している。
【００３８】
別の把持部材は要素を貫通して延びることができる。その際に要素は把持部材に作用する力を要素内に、又はボード板を介して要素内に誘導するように、別の把持部材と嵌合するように形成されてよい。
【００３９】
本発明によるキックスケーターは、重量移動操舵及び／又は回転操舵を有することができる。更にキックスケーターは摩擦ブレーキを有することができ、その場合は摩擦面が車輪、好ましくは後輪に押し付けられる。本発明によるキックスケーターに操舵を設けることは−特に重量移動操舵において−走行方向が変更されないことを前提としている。さもなければ操舵は操作できないであろう。
【００４０】
以下の図の説明は、本発明によるキックスケーターの実施形態を具体的に示すものである。図並びに図の説明は決して制限するものと見なされてはならない。当業者は以下の図の説明の特徴を上記の一般的説明と結び付けることができる。当業者は特に図及び図の説明において例として言及されている重量移動操舵を回転操舵に置き換えることができる。
【００４１】
図の中で次の参照符号が本発明によるキックスケーターの以下の部材を表している。図にはキックスケーターに乗っている人は書き込まれていない。
【図面の簡単な説明】
【００４２】
【図１】本発明によるキックスケーターの操舵装置がない第１の実施形態の側面図である。
【図２】本発明によるキックスケーターの操舵装置がない第１の実施形態の側面図である。
【図３】要素が第１の位置にある本発明によるキックスケーターの第２の実施形態の側面図である。
【図４】要素が第２の位置にある本発明によるキックスケーターの第２の実施形態の側面図である。
【図５】図３に示されたキックスケーターで要素の高さ調節可能性を分かりやすく示す図である。
【図６】図４に示されたキックスケーターで要素の高さ調節可能性を分かりやすく示す図である。
【図７】着座部材としての要素が第１の水平位置にある本発明によるキックスケーターの第３の実施形態の側面図である。
【図８】着座部材としての要素が第２の垂直位置にある本発明によるキックスケーターの第３の実施形態の側面図である。
【図９】要素が第１の実質的に水平に延びる位置にある人のためのボード板、ボード板にヒンジ連結された後輪及び２つの前輪を有する先行技術によるキックスケーターの側面図である。
【図１０】要素が第２の実質的に垂直な位置にある人のためのボード板、ボード板にヒンジ連結された後輪及び２つの前輪を有する先行技術によるキックスケーターの側面図である。
【図１１−１２】キックスケーターの第２の実施形態の側面図である。
【図１３】要素が第１の位置にある本発明によるキックスケーターの第６の実施形態の側面図である。
【図１４】要素が第２の位置にある本発明によるキックスケーターの第６の実施形態の側面図である。
【図１５】ボード板と、ボード板にヒンジ連結された後輪と、ボード板にヒンジ連結された前輪とを有するキックスケーターの一実施形態概略側面図であり、第１の要素部分が保管位置にあることを示す図である。
【図１６】ボード板と、ボード板にヒンジ連結された後輪と、ボード板にヒンジ連結された前輪とを有するキックスケーターの一実施形態概略側面図であり、第１の要素部分が第１の位置にあることを示す図である。
【図１７】要素が第１の位置にある、ボード板と、ボード板にヒンジ連結された後輪と、ボード板にヒンジ連結された前輪を有するキックスケーターの概略図である。
【図１８】要素が第２の位置にある、ボード板と、ボード板にヒンジ連結された後輪と、ボード板にヒンジ連結された前輪を有するキックスケーターの概略図である。
【図１９−２１】ボード板と、ボード板にヒンジ連結された少なくとも１つの後輪と、ボード板にヒンジ連結された少なくとも１つの前輪を有するキックスケーターの側面図である。
【発明を実施するための形態】
【００４３】
図１〜図１８は本発明によるキックスケーターの実施形態の側面図を示しており、奇数番号の図は第１の位置における要素及び偶数番号の図は第２の位置における要素を示している。
【００４４】
図１及び図２は、本発明によるキックスケーターの操舵装置がない第１の実施形態の側面図を示している。第１の実施形態のキックスケーターは、人が立っている姿勢あるいはまた座っている姿勢を取るためのボード板１を有している。ボード板１には後輪２と２つの前輪３がヒンジ連結されている。キックスケーターは更にボード板１に取り付けられた要素５を有しており、要素５は着座部材として第１の実質的に水平に延びる位置６（図１参照）から、実質的に垂直な把持ロッドとしての第２の位置７に移行可能である。このために要素５は、第１の要素部分１０と第２の要素部分１１を有しており、第２の要素部分１１はその一方の端部でボード板１と動かないように結合され、他方の端部でジョイント１５を介して第１の要素部分１０と接続されている。第１の要素部分１０は第２の要素部分１１に対して相対的に要素回転軸線８を中心にして回動する。要素回転軸線８は、図１及び図２の図示面に直角に延びている。
【００４５】
第１の要素部分１０は、人が座ることのできる座面１２を有する。座面は第１の位置６でのみ機能を持つ。第２の位置７では座面１２は機能を持たない。キックスケーターは更に、座面１２に座る人が掴むことのできる把持部材９を有している。把持部材９は第２の位置７では機能を持たない。
【００４６】
図１及び図２に示されたキックスケーターは操舵装置を有さない。後輪２と前輪３はそれらの軸を中心に回転可能であるが、キックスケーターを操舵するために調節可能に支持されていない。
【００４７】
図３及び図４は、本発明によるキックスケーターの第２の実施形態の側面図を示しており、図３は第１の位置で着座部材としての要素５を有する本発明によるキックスケーターを示し、図４は第２の位置で把持ロッドとしての要素５を有する本発明によるキックスケーターを示している。
【００４８】
図３及び図４に示されたキックスケーターは、人が立った姿勢を取るためのボード板１と、ボード板１に連結された後輪と、操舵装置４を介して連結された少なくとも１つの前輪３とを有している。図３及び図４では重量移動操舵を有する操舵装置４が前輪３によって一部隠されている。
【００４９】
本発明によるキックスケーターは更に、操舵装置４に連結可能な要素５を有しており、この要素５は図３ではその第１の位置６で着座部材として表示されている。図４は、把持ロッドとしての要素５の第２の位置７を示している。第１の位置６が実質的に水平であるのに対し、第２の位置７は実質的に垂直である。
【００５０】
操舵装置４はボード板１と接続されており、要素５は操舵装置を介してボード板１と連結可能に接続されている。
【００５１】
連結された要素５は第１の要素部分１０と第２の要素部分１１を有しており、第１の要素部分１０は第２の要素部分１１とジョイント１５により要素回転軸線８を中心に回転可能に支持されて接続されている。第１の要素部分１０は第１の水平位置６から第２の垂直位置７に揺動可能である。第２の要素部分１１は実質的に垂直に操舵装置４内に動かないように固定されており、その長さ若しくは高さにより第１の位置６で人にとって快適な座席の高さを提供する。第２の位置で第１の要素部分１０と第２の要素部分１１は共にボード板１上に立つ人にとって快適な把持高さを提供する。第１の要素部分１０と第２の要素部分１１はジョイント１５により互いに接続されている。
【００５２】
第１の要素部分１０は、人が快適に座るように形成された座面１２を有している。座面１２は第１の位置でのみこの技術的機能を有しており、第２の位置では座面１２は技術的機能を持たない。
【００５３】
第１の要素部分１０と第２の要素部分１１は図３及び図４に線で記入されたジョイント面１３で互いに接触する。ジョイント面１３は要素軸線８に対して直角に延びている。従ってキックスケーターに乗っている人によって図３及び図４に例として記入された負荷１３が要素５に加えられた場合でもジョイント１５によって良好に吸収できる。
【００５４】
ジョイント１５はロック装置を有しており、要素５が一方の位置から他方の位置へ意図せず揺動するのを妨げることができる。
【００５５】
要素回転軸線８は、第１の位置６と第２の位置７との間の角２等分線である。要素回転軸線８は水平線及び垂直線に対して４５°傾いている。
【００５６】
キックスケーターは、第１の位置６及び第２の位置７で受容部により要素５に取り付けられている把持部材９を有する。
【００５７】
別の把持部材９は第１の位置６で要素５上に座る人が掴まるために用いられる。ここでも別の把持部材９は受容部を介して要素５と高さ調節可能に接続されていて、座る人は別の把持部材９の高さをその必要に合わせて調節できる。座る人は重量移動によって作動する操舵装置４を、座って重量を座面１２に移動することにより及び／又は側方（図３で図示面に対して直角）に向けられた力を加えることにより操作する。
【００５８】
第２の位置では掴まる高さが要素５と別の把持部材９によって提供される。ここでも別の把持部材９は高さ調節可能である。立つ人は重量移動によって作動する操舵装置を、ボード板１に重量を移動することにより及び／又は側方力（図４で図示面に対して直角）を加えることによって操作する。
【００５９】
図５と図６は、図３及び図４に示されたキックスケーターで要素５の高さ調節可能性を分かりやすく示している。要素５は第１のコンソール受容部１７を有しており、これを介して第１の位置６（図５）及び第２の位置７（図６）でボード板１に対する要素５の高さを選択できる。
【００６０】
図７及び図８は、本発明によるキックスケーターの第３の実施形態の側面図を示している。図７は、第１の水平位置５で着座部材としての要素５を有するキックスケーターを示す。図８は、第２の垂直位置６で把持部材としての要素５を有するキックスケーターを示す。
【００６１】
キックスケーターはまた後輪２が連結されたボード板１と、操舵装置４に連結された前輪３を有しており、ボード板１と操舵装置４は機械的に結合されている。重量移動操舵として作動する操舵装置４はまた部分的に前輪３によって隠されている。
【００６２】
図７は更に、ボード板１と一体的に構成されたコンソール１６と、その着座部材としての第１の位置６で連結可能な要素５を示している。要素５はこれに適合する第１のコンソール受容部１７を有しており、これはコンソール１６に嵌め込まれる。第１のコンソール受容部１７は更に第１の位置６で要素５をコンソール１６に確実に取り付けるための緊定要素６を有しており、第１の位置６で要素５の高さ位置は緊定要素によって調節可能である。要素５は水平に延びて、座る人に快適に座るための座面１２を提供する。
【００６３】
図８は、要素５がその第２の位置７で把持ロッドとしてコンソール１６に連結可能であることを示している。要素５はこのために第２のコンソール受容部１８を有しており、これは第２の垂直位置７で要素５をコンソール１６に嵌め込むことを許す。第１のコンソール受容部１７及び第２のコンソール受容部１８並びにコンソール１６は当業者によって主要な負荷１８を受容するために寸法設計される。
【００６４】
第１の水平位置６（図７参照）と第２の垂直位置７（図８参照）における要素５の連結可能性により、要素は着座部材としての使用から把持ロッドとして使用に移行可能である。
【００６５】
図７では第２のコンソール受容部１８が、及び図８では第１のコンソール受容部１７が使用されていない。同様に第２の位置７において座面１２は使用されていない。
【００６６】
図７及び図８に示されたキックスケーターは、ボード板１に取り付け可能である把持部材９を有している。このために第１のコンソール受容部１７と第２のコンソール受容部１８は要素５を貫通して延びているので、別の把持部材９は要素５を貫通してコンソール１６内に押し入れられ、それによって差し込まれることができる。第１のコンソール受容部１７と第２のコンソール受容部１８は−図７と図８では見えないが−要素を貫通して延びている。
【００６７】
把持部材９は、第１の位置６で要素５上に座る人が掴まるために用いられる。別の把持部材９は、受容部を介して要素５と高さ調節可能に接続されているので、座る人は別の把持部材９の高さをその必要に合わせて調節できる。座る人は、重量移動によって作動する操舵装置４を、座って重量を座面１２に移動することにより及び／又は側方（図３で図示面に対して直角）に向けられた力を加えることにより操作する。
【００６８】
第２の位置では、要素５と把持部材９により掴まるための高さが提供される。ここでも別の把持部材９は高さ調節可能である。立つ人は重量移動によって作動する操舵装置をボード板１に重量を移動することにより及び／又は側方力（図４で図示面に対して直角）を加えることによって操作する。
【００６９】
図９及び図１０は、人のためのボード板１、ボード板１に連結された後輪２及び２つの前輪３を有する先行技術によるキックスケーターの側面図を示している。
【００７０】
キックスケーターは更に把持部材９を有しており、この把持部材９はボード板１と接続している。
【００７１】
本発明によるキックスケーターは更に、座面１２を備えた要素５を有している。要素５は、第１の実質的に水平に延びる位置６（図９参照）又は第２の実質的に垂直な位置７（図１０参照）で把持部材９に当該把持部材９を包囲するように接続できる。
【００７２】
図１０に含まれている図１０ａは要素５を詳細に示している。要素５は２つの部分を有しており、これらは要素５を把持部材９に連結させるために組み合わされる。要素５の一方の部分は第１のコンソール受容部１７と第２のコンソール受容部１８を有している。第１のコンソール受容部１７は把持部材９を受容する働きをするので、要素５は第１の位置６を取る（図９参照）。第２のコンソール受容部１８は第２の位置７で把持部材９を受容する働きをする（図１０参照）。
【００７３】
図１１及び図１２は、本発明によるキックスケーターの第２の実施形態の側面図を示しており、図３は第１の位置で着座部材としての要素５を有する本発明によるキックスケーターを示し、図４は第２の位置で把持ロッドとしての要素５を有する本発明によるキックスケーターを示している。
【００７４】
図１１及び図１２に示されたキックスケーターは、図示されていない人が立った姿勢を取るためのボード板１と、ボード板１にヒンジ連結された後輪と、操舵装置４を介してヒンジ連結された少なくとも１つの前輪３とを有している。図１１と図１２では重量移動操舵を有する操舵装置４が前輪３によって一部隠されている。
【００７５】
本発明によるキックスケーターは更に、操舵装置４に連結可能な要素５を有しており、この要素５は図１１ではその第１の位置６で着座部材として表示されている。図１２は、把持ロッドとしての要素５の第２の位置７を示している。第１の位置６が実質的に水平であるのに対し、第２の位置７は実質的に垂直である。
【００７６】
操舵装置４はボード板１と接続されており、要素５は操舵装置を介してボード板１と接続されている。
【００７７】
連結された要素５は第１の要素部分１０と第２の要素部分１１を有しており、第１の要素部分１０は第２の要素部分１１とジョイント１５により、図１１及び図１２に図示面に対して直角に向けられた要素回転軸線８を中心に回転可能に支持されている。第１の要素部分１０は第１の水平位置６から第２の垂直位置７に揺動可能である。第２の要素部分１１は実質的に垂直に固定されており、その長さ若しくは高さにより第１の位置６で人にとって快適な座席の高さを提供する。第２の位置で第１の要素部分１０と第２の要素部分１１は共にボード板１上に立つ人にとって快適な把持高さを提供する。第１の要素部分１０と第２の要素部分１１はジョイント１５により互いに接続されている。
【００７８】
第１の要素部分１０は、人が快適に座るように形成された座面１２を有している。座面１２は第１の位置でのみこの技術的機能を有しており、第２の位置では座面１２は技術的機能を持たない。
【００７９】
ジョイント１５はロック装置を有しており、要素５が一方の位置から他方の位置へ意図せず揺動するのを妨げることができる。
【００８０】
キックスケーターは、第１の位置６及び第２の位置７で受容部により要素５に取り付けられている把持部材９を有している。
【００８１】
別の把持部材９は第１の位置６で要素５上に座る人が掴まるために用いられる。この別の把持部材９は受容部を介して要素５と高さ調節可能に接続されており、座る人は別の把持部材９の高さをその必要に合わせて調節できる。座る人は重量移動によって作動する操舵装置４を、座って重量を座面１２に移動することにより及び／又は側方（図３で図示面に対して直角）に向けられた力を加えることにより操作する。
【００８２】
第２の位置では掴まる高さが要素５と別の把持部材９によって提供される。ここでも別の把持部材９は高さ調節可能である。立つ人は重量移動によって作動する操舵装置を、ボード板１に重量を移動することにより及び／又は側方力（図４で図示面に対して直角）を加えることによって操作する。
【００８３】
図１３及び図１４は、本発明によるキックスケーターの第６の実施形態の側面図を示しており、キックスケーターは図１３及び図１４には示されていない人が立つ姿勢を取るためのボード板１と、このボード板１に連結された後輪２と、ボード板１に操舵装置４を介してヒンジ連結された２つの前輪３を有している。
【００８４】
キックスケーターは更にボード板１にジョイント１５を介して連結された要素５を有する。この場合、ジョイント１５は要素５がロッド回転軸線８を中心に回転するのを許し、このロッド回転軸線８は図１３及び図１４の図示面に対して直角に向けられている。
【００８５】
要素５は第１の要素部分１０と第２の要素部分１１を有している。第２の要素部分１１は、その一方の端部でジョイント１５に接続され、その他方の端部で第１の要素部分１０に接続されており、第１の要素部分１０と第２の要素部分１１との間には剛性的結合が生じている。第１の要素部分１０と第２の要素部分１１は、互いに約２０°の角度を有している。
【００８６】
図１３は、要素５の第１の位置６を示しており、この第１の位置で第１の要素部分１０は座席として用いられる。第１の要素部分１０は人が快適に座ることができるように座面１２を有している。ジョイント１５は要素５の回転を妨げるためにロック装置を有しているので、座る人により要素５に負荷を加えることができる。
【００８７】
図１４は、要素５の第２の位置７を示しており要素５は先にロック装置を解除した後でこの第２の位置７に移行可能である。要素５はその第２の位置７で把持ロッドとして用いられる。要素５はその第２の位置７で実質的に垂直であり、第１の要素部分１０と第２の要素部分１１は、互いに角度をなして剛性的に接続されているために垂線から僅かに逸脱している。
【００８８】
第１の位置６で人は第１の要素部分１０の上に座り、その手で要素５に取り付けられている把持部材９に掴まる。人は座ると足が地面に達するので、その足でキックスケーターを加速させることができる。その際に座席の高さはジョイント１５により要素５を傾かせることによって調節できる。これと代替的に又は傾きの調節と組み合わせて、座席の高さを第２の要素部分１１によって形成されているテレスコープ１９によって調節できる。人は座面１２に重量を移動することにより、及び人がその手で掴んでいる把持部材９を介してキックスケーターを操舵する。
【００８９】
第２の位置７で人はボード板１上に立ち、その手で把持部材９に掴まる。人は足が地面に達するので、その足でキックスケーターを加速させることができる。その際に把持部材９の高さはジョイント１５により要素５の傾きによって調節できる。これと代替的に又は傾きの調節と組み合わせて、把持部材９の高さを第２の要素部分１１によって形成されたテレスコープ１９によって調節できる。人はボード板１に重量を移動することにより、及び人がその手で掴んでいる把持部材９を介してキックスケーターを操舵する。
【００９０】
図１５及び図１６は、ボード板１と、ボード板１にヒンジ連結された後輪２と、ボード板１にヒンジ連結された前輪３とを有するキックスケーターの１実施形態概略側面図を示している。
【００９１】
キックスケーターは、第１の要素部分１０と、２つの第２の要素部分１１を含む要素５を有している。第１の要素部分１０と第２の要素部分１１は、ジョイント１５により互いに回転可能に接続されているので、第１の要素部分１０は座席としての第１の位置６（図１６参照）から保管位置（図１５参照）に移行可能である。保管位置においてボード板１、第１の要素部分１０及び第２の要素部分１１は平面をなす。キックスケーター上に立つ人は、原理的に全平面上に立つことができる。
【００９２】
第１の要素部分１０とボード板１０は一体的に構成されている。
【００９３】
当業者は、要素５が保管位置から第１の位置に移行することが幾何学的に可能であるように別のジョイント１９を配置する。
【００９４】
キックスケーターは更に、ボード板１上に立つ人又は第１の要素部分１０上に座る人が掴むことのできる把持部材９を有している。
【００９５】
図１７及び図１８は、ボード板１と、ボード板１にヒンジ連結された後輪２と、ボード板１にヒンジ連結された前輪３を有するキックスケーターの概略図を示している。
【００９６】
キックスケーターは更にボード板１に取り付けられている要素５を有しており、この要素５は第１の要素部分１０と第２の要素部分１１を有している。要素部分１０、１１はジョイント１５によって接続されているので、第１の要素部分１０は要素軸線８を中心に回転することにより第２の要素部分１１に対して調節可能である。要素５は着座部材としての第１の位置６（図１７参照）から、把持ロッドとして第２の位置７（図１８参照）に移行可能である。第１の要素部分１０は、人が第１の位置６で快適に座ることができるようにするために座面１２を有している。
【００９７】
図１９、図１８及び図２１は、ボード板１と、ボード板１にヒンジ連結された少なくとも１つの後輪２と、ボード板１にヒンジ連結された少なくとも１つの前輪３を有するキックスケーターの側面図を示している。更にボード板１には要素５がジョイント１５を介してヒンジ連結されており、この要素５は第１の要素部分１０と第２の要素部分１１を有している。要素部分１０、１１は別のジョイント１９により接続されている。要素５は座面１２を有する着座部材としての第１の位置６（図１８参照）と、把持ロッドとしての第２の位置７（図１９参照）と、保管位置（図２１参照）との間で移行可能である。要素５は、保管位置においてボード板１に適合した形状を有しており、人は保管位置にある要素５の上に立つことができる。
【００９８】
座面１２に座る人又はボード板１上に立つ人は、別の把持部材９に掴まることができる。
【符号の説明】
【００９９】
１    ボード板
２    後輪
３    前輪
４    操舵装置
５    要素
６    （要素の）第１の位置
７    （要素の）第２の位置
８    要素回転軸線
９    把持部材
１０    第１の要素部分
１１    第２の要素部分
１２    座面
１３    ジョイント面
１４    負荷
１５    ジョイント
１６    コンソール
１７    第１のコンソール受容部
１８    第２のコンソール受容部
１９    別のジョイント
２０    走行方向
【図１】
2018532472.tif 000003
【図２】
2018532472.tif 000004
【図３】
2018532472.tif 000005
【図４】
2018532472.tif 000006
【図５】
2018532472.tif 000007
【図６】
2018532472.tif 000008
【図７】
2018532472.tif 000009
【図８】
2018532472.tif 000010
【図９】
2018532472.tif 000011
【図１０】
2018532472.tif 000012
【図１１】
2018532472.tif 000013
【図１２】
2018532472.tif 000014
【図１３】
2018532472.tif 000015
【図１４】
2018532472.tif 000016
【図１５】
2018532472.tif 000017
【図１６】
2018532472.tif 000018
【図１７】
2018532472.tif 000019
【図１８】
2018532472.tif 000020
【図１９】
2018532472.tif 000021
【図２０】
2018532472.tif 000022
【図２１】
2018532472.tif 000023
【国際調査報告】
2018532472.tif 000024
2018532472.tif 000025
2018532472.tif 000026
2018532472.tif 000027